(57)【特許請求の範囲】
【請求項１】
クッションパッドに，そのクッションパッドに一部が接着されたカバーを被せるためのカバー反転装置であって，
前記クッションパッドとほぼ同程度の空間が中に形成され，裏返しにした前記カバーを支持するカバー支持体と，
昇降手段により昇降可能な，支持アームに軸支され，前記カバー支持体の前記空間内に挿入可能なスイングアームと，
前記スイングアームを枢動させるための枢動手段と，
を含み，
前記スイングアームが，枢動手段により前記空間の上方へスイングすると，前記カバー支持体に，裏返しにして支持された前記カバーに接着されてクッションパッド上部が，前記空間内に移動し，さらに，昇降手段により，前記スイングアームが下降すると，前記クッションパッドは前記空間内に落ち込むとともに，前記カバーは反転しながら，クッションパッドに被さる，ことを特徴とするカバー反転装置。
【請求項２】
請求項１に記載のカバー反転装置であって，
前記昇降手段が昇降シリンダーであり，前記枢動手段が枢動シリンダーであることを特徴とするカバー反転装置。
【請求項３】
請求項１に記載のカバー反転装置であって，さらに，
前記カバー支持体に隣接し，前記カバーが前記カバー支持体に裏返しになった状態で支持たれたときに，前記クッションパッドを，少なくとも下から支持するクッションパッド支持体を含む，ことを特徴とするカバー反転装置。
【請求項４】
請求項１に記載のカバー反転装置であって，
前記カバー支持体は，平行なローラを軸支するロッドを含み，該ロッドと前記ローラとで前記空間を形成する，ことを特徴するするカバー反転装置。
【請求項５】
請求項３に記載のカバー反転装置であって，
前記クッションパッド支持体は，前記カバー支持体と平行な第一のプレートと，該第一のプレートに垂直で，前記クッションパッドを下から支持する第二のプレートとを含み，前記第一および二のプレートにより前記クッションパッドが支持されたとき，前記カバー支持体より上に前記クッションパッドの，約２０％だけ突き出る，ことを特徴とするカバー反転装置。
【請求項６】
請求項１に記載のカバー反転装置であって，
前記スイングアームを軸支する点が，前記空間の中央延長上に位置し，
前記スイングアームの先端には，ローラが軸支される，ことを特徴とするカバー反転装置。
【請求項７】
請求項２に記載のカバー反転装置であって，
前記支持アームは，垂直の伸びるフレームに昇降自在に取り付けられスライダーに固定され，
前記スライダーを前記フレームにそって昇降させるために，前記昇降シリンダーの先端が前記スライダーに連結され，
前記枢動シリンダーは，前記スライダーと前記スイングアームとの間に軸支される，ことを特徴とするカバー反転装置。
【発明の詳細な説明】
【０００１】
【発明の属する技術分野】
本発明は，クッションパッドにカバーを反転させて被せるためのカバー反転装置に関し，とくに，クッションパッドに一部が接着されたカバーについて，自動で，カバーを反転させながらクッションパッドに被せるためのカバー反転装置に関する。
【０００２】
【従来の技術および発明が解決しようとする課題】
車両用シートや各種クッションは，クッションパッドにカバーを被せて，機能，美観などをもたせている。ここで使用されるクッションパッドはその柔軟性故にクッションパッドにカバーを被せる作業は，人手によらざるを得ない。
【０００３】
しかし，車両用のシートのクッションパッドは大きく，その取り扱いが容易ではない。さらに，カバーとクッションパッドとがずれては困るところ（たとえば，人が接する部分（背もたれ部））については予めカバーとクッションパッドを接着させておく必要がある。このようにクッションパッドに一部接着されたカバーでは，被せ作業において，接着部の剥がれも生じかねず，品質の維持が無難しい。さらに，被せ作業は，クッションパッドを圧縮しながら行う力作業であり，作業者により作業の効率が変化する。
【０００４】
また，人の力による作業には限界があり，カバー，クッションパッドの圧縮率を上げられず，かかる人手による被せ作業を必要とするクッションの用途は制限される。
【０００５】
そこで，本発明は上記問題を解決するためになされたものであり，カバーの一部が接着されたクッションパッドへのカバー被せ作業を自動化するカバー反転装置を提供することを目的とする。
【０００６】
本発明の他の目的は，接着部分に剥がれを生じさせることなく，クッションパッドにカバーを被せることができる上記カバー反転装置を提供することである。
【０００７】
さらに，本発明の他の目的は，クッションパッド，カバーの圧縮率を任意に変化させることができる上記カバー反転装置を提供することである。
【０００８】
【課題を解決するための手段】
上記目的を達成する，クッションパッドに，そのクッションパッドに一部が接着されたカバーを被せるためのカバー反転装置は，クッションパッドとほぼ同程度の空間が中に形成され，裏返しにしたカバーを支持するカバー支持体と，昇降手段により昇降可能な，支持アームに軸支され，カバー支持体の上記空間内に挿入可能なスイングアームと，スイングアームを枢動させるための枢動手段と，を含む。
【０００９】
ここで使用するカバーは裏返しになった状態で，クッションパッドの一部に接着され，カバーを反転させて，クッションパッドに被せることによりクッションの被せ作業が完成するものである。
【００１０】
クッションパッドに一部が接着され，裏返しになった状態のカバーがカバー支持体に装着される。このとき，カバーに接着されたクッションパッドの一部は上方に突き出ている。そして，スイングアームが，枢動手段により上記空間の上方へスイングすると，カバー支持体に，裏返しにして支持されたカバーに接着されてクッションパッド上部が，カバー支持体の上記空間内に移動し，さらに，昇降手段により，スイングアームが下降すると，クッションパッドはカバーを介して空間内に落ち込むとともに，カバーは反転しながら，クッションパッドに被さる。
【００１１】
昇降手段は昇降シリンダーであり，枢動手段は枢動シリンダーであることが望ましい。本装置は，カバー支持体に隣接し，カバーがカバー支持体に裏返しになった状態で支持たれたときに，クッションパッドを，少なくとも下から支持するクッションパッド支持体を含んでもよい。
【００１２】
カバー支持体は，平行なローラを軸支するロッドを含むことが望ましい。このローラにより，カバーの装着，およびクッションパッドへの被さり動作を容易にする。ここでロッドとローラとで上記空間が形成される。
【００１３】
クッションパッド支持体は，カバー支持体と平行な第一のプレートと，該第一のプレートに垂直で，クッションパッドを下から支持する第二のプレートとを含むことが望ましい。好適には，第一および二のプレートによりクッションパッドが支持されてとき，カバー支持体より上にクッションパッドの，約２０％だけ突き出ることが望ましい。
【００１４】
好適に，支持アームは，垂直に伸びるフレームに昇降自在に取り付けられスライダーに固定され，スライダーをフレームにそって昇降させるために，昇降シリンダーの先端がスライダーに連結され，枢動シリンダーは，スライダーとスイングアームとの間に軸支される。
【００１５】
スイングアームを軸支する点は，空間の中央延長上に位置することが望ましく，また，スイングアームの先端には，ローラが軸支されることが望ましい。ローラは，スインクアームが，クッションパッドを，カバーを介して空間へ落とし込むことを容易にする。
【００１６】
【実施例】
本発明のカバー反転装置１の斜視図が図１に，側面図が図２に示されている。カバー反転装置１のベース２には垂直に伸びる二本の平行なフレーム３，３が設けられている。各フレームは，一方側に補助フレーム４，４により支持され，他方側にはレール５，５が設けられている。
【００１７】
レール５には，スライダー６が，レール５の方向にのみ移動可能に取り付けられ，そのスライダー６とベース２との間にシリンダー７が連結されている。したがって，シリンダー７の伸縮により，スライダー６は，レール５にそって昇降する。
【００１８】
スライダー６には，一対の支持アーム１０，１０が垂直に取り付けられている。支持アーム１０のそれぞれの先端に，平行なロッドから成るスイングアーム１１が軸支されている。このスイングアーム１１とスライダー６との間に，枢動シリンダー１２が連結されている。したがって，枢動シリンダー１２が伸縮すると，スイングアーム１１は軸支点を中心に枢動する。
【００１９】
平行なロッドから成るスイングアーム１１の先端には，ローラ１３が回転可能に支持されている。このローラ１３は，以下で説明するように，クッションパッドを傷つけることなく，変形させるとともに，押し付ける動作を容易にするものである。
【００２０】
さらに，ベース２には，スイングアーム１１の下方の位置に，カバー支持体２０が設けられている。このカバー支持体２０は，垂直に伸びるように取り付けられた四本のロッド２１ａ，２１ｂ，２１ｃ，２１ｄを有する。四本のロッド２１ａ，２１ｂ，２１ｃ，２１ｄはそれらの間に，カバーが被せられるクッションパッドとほぼ同程度の空間（Ｓ）が形成されるように取り付けられている。したがって，裏返しになったカバーをこれら四本のロッドに被せるように装着することができる。
【００２１】
ロッド２１ａとロッド２１ｄとの間，ロッド２１ｂとロッド２１ｃとの間には，それぞれ三つずつのローラ２２ａ，２２ｂ，２２ｃ，ローラ２２ｄ，２２ｅ，２２ｆが水平に回転可能に支持されている。これらローラを設けることで，上記カバーの装着および以下で説明するカバーの反転がスムーズになる。この実施例では，合計六つのローラが取り付けられているが，これらは必須のものではなく，したがって，クッションパッドの大きさ，形状などに対応させて，取り付けることなく，または増減することができる。
【００２２】
カバー支持体２０とフレーム３との間に，クッションパッドを支持するためのクッションパッド支持体３０（図２）が設けられている。クッションパッド支持体３０は垂直にフレーム３に固定された第一のプレート３１と，そのプレート３１から垂直に伸びる第二のプレート３２を有する。クッションパッドは，カバー支持体２０と第一のプレート３１との間に位置し，第二のプレート３２により下から支持される。
【００２３】
第二のプレート３２の位置は，クッションパッドが配置されるとき，クッションパッドの先端が全長の２０パーセント程度，ローラ２２ａ（２２ｄ）から上方に突き出るように定めることが望ましい。
【００２４】
図２に示されているように，スライダー６が最上位にあるとき，スイングアーム１１の軸支点からローラ１３までの長さは以下で説明するように，配置されたクッションパッドの先端を曲げて，空間内（Ｓ）へと押し込めることができる程度にする。そして，スイングアーム１１の軸支点は，ローラ２２ａとローラ２２ｄの中央延長上に位置するようにする。このように軸支点の位置が決定されると，スイングアーム１１のローラ１３は，カバー支持体２０のローラの間を通って（昇降シリンダーの伸縮にしたがって）昇降することができる。
【００２５】
カバー反転動作
図３，４および５を参照して，カバーを反転させ，クッションパッドに被せる動作を説明する。
【００２６】
本発明の装置により製造されるクッションは，たとえば，座席シートのように座る者の背が接し，クッションパッドとカバーとがずれるようなもの，或いは皺が生じるようなもので，このようなクッションは，カバーを裏返しにし，クッションパッドの上記ずれや皺などが生じやすいところについて，予め接着され，カバーを反転することによりカバーをクッションパッドに被せて完成する。本発明の装置は，かかるカバーの反転作業を自動化する装置である。
【００２７】
図３に示されているように，まず，枢動シリンダー１２が収縮し，スイングアーム１１をフレーム３側に枢動させる。これにより，カバー支持体２０の上方の空間が広くなる。
【００２８】
つぎに，クッションパッド２４に一部接着されてカバー２５（この段階では，カバーは裏返し状態にある）を，カバー支持体２０に装着する。カバー支持体２０の，六個のローラは回転し，カバーの装着作業を容易にする。
【００２９】
クッションパッド２４はパッド支持体３０により保持されるが，クッションパッド２４の下端は，第二のプレート３２により下から支えられる。そのため，クッションパッド２４の上部は，ローラ２２ａ（２２ｄ）から上方に突き出るが，その長さは好適に，クッションパッドの全長の約２０％である。
【００３０】
つぎに，図４に示されているように，枢動シリンダー１２が伸長すると，スイングアーム１１は，軸支点を中心に枢動する。これにより，スイングアーム１１の下端は，クッションパッド２４の，突き出た部分をカバー支持体２０へと変形させる。このとき，ローラ１３は回転自在となっていることから，クッションパッド２４の変形をスムーズに行う。
【００３１】
スイングアーム１１がほぼ垂直になり，ローラ１３がローラ２２ａと２２ｄとの中央に位置するまで，枢動シリンダー１２は伸長する。そして，ローラ１３がその中央の位置に達したとき，昇降シリンダー７が収縮し，スライダー６を下降させる。これに伴って，支持アーム１０を介して，スイングアーム１１も下降する。
【００３２】
カバー支持体２０の中には空間（Ｓ）が形成されており，したがって，スイングアーム１１とともにローラ１３が下降すると，クッションパッド２４とともにカバーが下方へ引きずり込まれながら反転する。このとき，カバー支持体２０の，六つのローラ（２２ａ，２２ｂ，２２ｃ，２２ｄ，２２ｅ，２２ｆ）は回転自在なため，その反転動作をスムーズにする。ただし，四本のロッド（２１ａ，２１ｂ，２１ｃ，２１ｄ）は，カバー２５を拡張状態に保持しているため，カバー２５は空間（Ｓ）に急激に落ち込むことはない。
【００３３】
図５に示されているように，昇降シリンダー７の収縮により，スイングアーム１１が下降すると，カバー２５は完全に反転し，クッションパッド２４に被さる。そして，昇降シリンダー７の伸長により，スイングアームはカバーから抜け出て，カバーの反転作業が完了する。
【００３４】
本発明の装置によるカバーの反転動作を，図示に実施例とともに説明してきたが，図示の装置は例示であり，種々の変形，変更をなし得ることは当業者には明らかであろう。図示の枢動シリンダーはスイングアームを枢動させるためのものであるから，枢動させる手段，たとえば，支持アームにモータを取り付け，モータのより回転によりスイングアームを枢動させてもよい。同様に，昇降シリンダーに代え，ねじが切られてロッドを垂直に保持し，そのねじとかみ合う突起をスライダーに取り付け，ロッドの正逆回転により，スライダーを昇降させてもよい。また，カバー支持体は，四本のロッドで構成したが，より多くのロッドに置き換えることもできる。また，空間（Ｓ）を内部に有する筒体としてもよい。なお，クッションパッド支持体は，本発明には必須ではないが，クッションパッドの先端を所定の量だけ，突き出させるために有効な手段である。
【００３５】
【効果】
本発明のカバー反転装置により，カバー支持体に装着されたクッションパッドに一部が接着されてカバーは，スイングアームの枢動および昇降によって，カバーを反転させて，クッションパッドに被せることができる。
【００３６】
このスイングアームの枢動，昇降において，カバーとクッションパッドとの間の接着部分に実質的な力が作用せず，したがって，接着部分に剥がれを生じさせることなく，クッションパッドにカバーを被せることができる
【００３７】
さらに，本発明のカバー反転装置は，カバー支持体にカバーを装着することができると，クッションパッド，カバーの圧縮率にかかわらず，カバーを反転させることができ，したがって，種々の圧縮率をもつクッションパッド，カバーを使用することができる。
【図面の簡単な説明】
【図１】図１は，本発明のカバー反転装置の斜視図である。
【図２】図２は，本発明のカバー反転装置の側面図である。
【図３】図３は，カバー支持体にカバーを装着した状態の本発明のカバー反転装置の側面図を示す。
【図４】図４は，スイングアームが枢動して，クッションパッドの上部が，カバー内に押しやられた状態の本発明のカバー反転装置の側面図を示す。
【図５】図５は，スイングアームが下降して，クッションパッドがカバー内に押し込められ，カバーが完全に反転した状態の本発明のカバー反転装置の側面図を示す。
【符号の説明】
１      カバー反転装置
２      ベース
３      フレーム
４      補助フレーム
５      レール
６      スライダー
７      昇降シリンダー
１０      支持アーム
１１      スイングアーム
１２      枢動シリンダー
１３      ローラ
２０      カバー支持体
２１ａ，２１ｂ，２１ｃ，２１ｄ      ロッド
２２ａ，２２ｂ，２２ｃ，２２ｄ，２２ｅ，２２ｆ      ローラ
３０      クッションパッド支持体
３１      第一のプレート
３２      第二のプレート
【図１】
0003599241.tif 000002
【図２】
0003599241.tif 000003
【図３】
0003599241.tif 000004
【図４】
0003599241.tif 000005
【図５】
0003599241.tif 000006